(57)【要約】      （修正有）【課題】洋式便器と便座との間からの尿の漏れ出しを防止し、かつ使用後に容易に洗浄できる補助便座及びガード部材を提供する。【解決手段】洋式便器の便座上に載置される補助便座であって、中央に貫通穴を有する略楕円形状の着座部材と、着座部材の前側下部に着脱可能に取り付けられるガード部材とを備え、ガード部材が、洋式便器の内側へ延びる延出部３２を有する。ガード部材が、上面視で着座部材の前側形状に近似する略Ｕ字型に成形された板状体である。着座部材の前側下部に左右から対向する一対の凸部２２１、２２２が設けられており、ガード部材が、着座部材の一対の凸部２２１、２２２のそれぞれと当接する左右一対の当接部３３、３４を有し、着座部材の一対の凸部２２１、２２２がガード部材の一対の当接部３３、３４を左右から押圧することによって、着座部材にガード部材が取り付けられる。【選択図】図４
0003219323.tif 000002
【実用新案登録請求の範囲】
【請求項１】
洋式便器の便座上に載置される補助便座であって、
中央に貫通穴を有する略楕円形状の着座部材と、
前記着座部材の前側下部に着脱可能に取り付けられるガード部材と
を備え、
前記ガード部材が、前記洋式便器の内側へ延びる延出部を有する補助便座。
【請求項２】
前記ガード部材が、上面視で前記着座部材の前側形状に近似する略Ｕ字型に成形された板状体である請求項１に記載の補助便座。
【請求項３】
前記着座部材の前側下部に左右から対向する一対の凸部が設けられており、
前記ガード部材が、前記着座部材の前記一対の凸部のそれぞれと当接する左右一対の当接部を有し、
前記着座部材の前記一対の凸部が前記ガード部材の前記一対の当接部を左右から押圧することによって、前記着座部材に前記ガード部材が取り付けられる請求項２に記載の補助便座。
【請求項４】
前記ガード部材が弾性を有し、
前記延出部の左右に一対のつまみ部が設けられる請求項３に記載の補助便座。
【請求項５】
前記ガード部材が樹脂製であり、
前記ガード部材の平均板厚が０．２ｍｍ以上３．０ｍｍ以下である請求項２、請求項３又は請求項４に記載の補助便座。
【請求項６】
洋式便器の便座上に載置される補助便座が備える中央に貫通穴を有する略楕円形状の着座部材の前側下部に着脱可能に取り付けられ、前記洋式便器の内側へ延びる延出部を有するガード部材。
【考案の詳細な説明】
【技術分野】
【０００１】
本考案は、補助便座及びガード部材に関する。
【背景技術】
【０００２】
洋式便器の大人用便座上に載置される子供用の補助便座が知られている。
【０００３】
例えば、略楕円形の着座部材における大人用便座と当接する面に摩擦板を備えることにより、大人用便座上に安定な状態で固定できる幼児用補助便座が提案されている（特許文献１）。特許文献１には、尿の飛散を防止するために、着座部材の内縁部の前方領域に、上方に突出する前ガード部を設けることが記載されている。
【先行技術文献】
【特許文献】
【０００４】
【特許文献１】特開２００８−６１７７７号公報
【考案の概要】
【考案が解決しようとする課題】
【０００５】
一般的な洋式便器では、便器と便座との間に隙間が存在する。このため、例えば男児等が補助便座を用いた場合、便器と便座との間から尿が漏れ出すおそれがある。特許文献１に記載された幼児用補助便座は、大人用便座上への安定な載置を考慮し、かつ前ガード部によって尿の上方への飛散を防止できるものの、便器と便座との間からの尿の漏れ出しは防止できない。また、特許文献１に記載された幼児用補助便座の前ガード部は、着座部材に固定されたものであるため、使用時に尿が付着した前ガード部の洗浄は容易ではない。
【０００６】
本考案は、上述のような事情に基づいてなされたものであり、洋式便器と便座との間からの尿の漏れ出しを防止し、かつ使用後に容易に洗浄できる補助便座及びガード部材を提供することを目的とする。
【課題を解決するための手段】
【０００７】
上記課題を解決するためになされた本考案の一態様に係る補助便座は、洋式便器の便座上に載置される補助便座であって、中央に貫通穴を有する略楕円形状の着座部材と、前記着座部材の前側下部に着脱可能に取り付けられるガード部材とを備え、前記ガード部材が、前記洋式便器の内側へ延びる延出部を有する。
【０００８】
当該補助便座は、着座部材の前側下部にガード部材を備え、このガード部材が洋式便器の内側へ延びる延出部を有しているので、洋式便器と便座との間からの尿の漏れ出しを防止できる。また、当該補助便座は、着座部材の前側下部においてガード部材を着脱可能に取り付ける構成であるので、使用後に尿の付着したガード部材を取り外すことによって容易に洗浄できる。
【０００９】
前記ガード部材が、上面視で前記着座部材の前側形状に近似する略Ｕ字型に成形された板状体であるとよい。当該補助便座は、ガード部材が、着座部材の前側形状に近似するように湾曲した形状であると、洋式便器と便座との間からの尿の漏れ出しを適切に防止できる。
【００１０】
前記着座部材の前側下部に左右から対向する一対の凸部が設けられており、前記ガード部材が、前記着座部材の前記一対の凸部のそれぞれと当接する左右一対の当接部を有し、前記着座部材の前記一対の凸部が前記ガード部材の前記一対の当接部を左右から押圧することによって、前記着座部材に前記ガード部材が取り付けられるとよい。当該補助便座は、着座部材の一対の凸部でガード部材の一対の当接部を左右から押圧することによって着座部材にガード部材を取り付けるので、取付用の工具を必要とせず、簡単にガード部材を着脱することができる。
【００１１】
前記ガード部材が弾性を有し、前記延出部の左右に一対のつまみ部が設けられているとよい。当該補助便座は、一対のつまみ部を操作することによってガード部材を変形させることができるので、より簡単にガード部材を着脱することができる。
【００１２】
前記ガード部材が樹脂製であり、前記ガード部材の平均板厚が０．２ｍｍ以上３．０ｍｍ以下であるとよい。当該補助便座は、ガード部材が樹脂製でありかつガード部材の平均板厚が上記範囲内であると、ガード部材に適切な弾性及び強度を持たせることができる。
【００１３】
上記課題を解決するためになされた本考案の一態様に係るガード部材は、洋式便器の便座上に載置される補助便座が備える中央に貫通穴を有する略楕円形状の着座部材の前側下部に着脱可能に取り付けられ、前記洋式便器の内側へ延びる延出部を有する。
【００１４】
当該ガード部材は、補助便座が備える着座部材の前側下部に取り付けられると、洋式便器の内側へ延びる延出部を有しているので、洋式便器と便座との間からの尿の漏れ出しを防止できる。また、当該ガード部材は、着座部材の前側下部に対して着脱可能に取り付けられる構成であるので、使用後に取り外されることによって容易に洗浄できる。
【考案の効果】
【００１５】
本考案の補助便座及びガード部材は、洋式便器と便座との間からの尿の漏れ出しを防止し、かつ使用後に容易に洗浄できる。
【図面の簡単な説明】
【００１６】
【図１】本考案の一実施形態に係る補助便座の前方左側の一部を示す模式的側面図である。
【図２】図１の補助便座からガード部材を取り外した着座部材の前側の一部を示す模式的下面図である。
【図３】図１の補助便座から取り外されたガード部材を示す模式的斜視図である。
【図４】図１の補助便座の前側の一部を示す模式的下面図である。
【考案を実施するための形態】
【００１７】
以下、本考案に係る補助便座及びガード部材の実施形態について図を参照しつつ詳説する。なお、以下では、補助便座１を使用する際の使用者の向く方向を前とし、使用者の左側を左とし、使用者の右側を右として説明する。
【００１８】
［補助便座］
図１及び図４に示す補助便座１は、洋式便器の便座Ｘ上に載置される補助便座であり、中央に貫通穴を有する略楕円形状の着座部材２と、着座部材２の前側下部に着脱可能に取り付けられるガード部材３とを備えている。補助便座１は、例えば大人用の便座Ｘを利用することが困難な子供又は幼児に用いられる補助便座であり、便座Ｘの上方から便座Ｘ上へ載置可能に構成されている。
【００１９】
補助便座１は、着座部材２の前側下部においてガード部材３を着脱可能に取り付ける構成であるので、使用後に尿の付着したガード部材３を取り外すことによって容易に洗浄できる。すなわち、補助便座１は、尿が付着する可能性の高いガード部材３のみを取り外し可能にしているので、洗浄の手間を低減することができる。また、補助便座１は、使用者が例えば女児等である場合に、ガード部材３を取り外したまま用いることもできる。また、補助便座１は、ガード部材３を取り外すことによって輸送時や梱包時にサイズの縮小を図ることもできる。
【００２０】
＜着座部材＞
着座部材２は、中央に貫通穴を有しており、上面視で便座Ｘの形状に近似する略楕円形状に形成されている。着座部材２は、便座Ｘ上に載置され、使用者が着座する環状の着座部２１と、着座部２１の中央側から下方へ向けて連続して形成される環状の内壁２２とを有しており、着座部２１及び内壁２２は、便座Ｘの中央に形成された貫通穴よりも小さい貫通穴を形成している。内壁２２は、便座Ｘの貫通穴の内側に挿入されるように着座部２１から下方へ突出している。なお、着座部材２は、例えば左右対称に構成されているとよい。また、着座部材２は樹脂製であり、着座部材２の成形に用いられる樹脂は、例えばポリプロピレンであるとよい。また、内壁２２は、環状でなくてもよく、少なくとも着座部２１の前側及び左右両側において連続して形成されていればよい。
【００２１】
着座部２１の前側上部には、把持部２１１が設けられている。使用者は、着座部２１に着座した際に、把持部２１１を把持することによって自身の姿勢を安定させることができる。なお、着座部２１の後側下部には、便座Ｘの貫通穴の内側に挿入され、かつ便座Ｘに対する着座部２１の水平方向のずれを抑制可能な左右一対の係止部が設けられていてもよい。
【００２２】
（内壁）
図２には補助便座１からガード部材３を取り外した着座部材２の前側下部が示されている。着座部材２の前側下部に位置している内壁２２の一部は、上面視で便座Ｘの前側形状に近似する略Ｕ字型に形成されている。
【００２３】
内壁２２は、前方左側に形成され、貫通穴側へ突出する左凸部２２１と、前方右側に形成され、貫通穴側へ突出する右凸部２２２と、便座Ｘの前側形状に近似する形状の内壁前縁部２２３と、便座Ｘの左側方形状に近似する形状の内壁左側方部２２４と、便座Ｘの右側方形状に近似する形状の内壁右側方部２２５とを有している。また、左凸部２２１及び右凸部２２２は対向するように設けられている。つまり、着座部材２の前側下部には、左右から対向する一対の凸部（左凸部２２１及び右凸部２２２）が設けられている。左凸部２２１及び右凸部２２２は、上下に連続し、略平行な突条として形成されている。
【００２４】
＜ガード部材＞
図３に示すガード部材３は、着座部材２の前側下部に着脱可能に取り付けられることにより、洋式便器と便座Ｘとの間からの尿の漏れ出しを防止するための部材である。ガード部材３は、弾性を有する樹脂製の板状体である。ガード部材３の成形に用いられる樹脂は、例えばポリプロピレンであるとよい。
【００２５】
ガード部材３の平均板厚の下限は、０．２ｍｍが好ましく、０．４ｍｍがより好ましく、０．５ｍｍが更に好ましい。一方、ガード部材３の平均板厚の上限は、３．０ｍｍが好ましく、２．７ｍｍがより好ましく、２．５ｍｍが更に好ましい。補助便座１は、ガード部材３が樹脂製でありかつガード部材３の平均板厚が上記範囲内であると、ガード部材３に適切な弾性及び強度を持たせることができる。
【００２６】
図３に示すように、ガード部材３は、着座部材２に取り付けられる支持部３１と、支持部３１と連続し、支持部３１が着座部材２に取り付けられた際に洋式便器の内側へ延びる延出部３２と、支持部３１の一方の側端に位置し、着座部材２の左凸部２２１と当接する左当接部３３と、支持部３１の他方の側端に位置し、着座部材２の右凸部２２２と当接する右当接部３４と、延出部３２の一方の側端と連続し、ガード部材３を変形させるための左つまみ部３５と、延出部３２の他方の側端と連続し、ガード部材３を変形させるための右つまみ部３６とを有している。
【００２７】
ガード部材３は、着座部材２に取り付けられた際に、延出部３２、左つまみ部３５及び右つまみ部３６によって、洋式便器と便座Ｘとの間からの尿の漏れ出しを防止する。また、ガード部材３は、着座部材２に取り付けられた際に、支持部３１側が上方、延出部３２側が下方、左当接部３３側が左側、右当接部３４側が右側となるが、左右対称に構成されているとよく、上面視で着座部材２の前側形状に近似する略Ｕ字型に成形されているとよい。補助便座１は、ガード部材３が、着座部材２の前側形状に近似するように湾曲した形状であると、洋式便器と便座Ｘとの間からの尿の漏れ出しを適切に防止できる。
【００２８】
ガード部材３は、着座部材２に取り付けられる際に、支持部３１が着座部材２の左凸部２２１、右凸部２２２及び内壁前縁部２２３に囲まれ、左当接部３３が左凸部２２１に当接し、右当接部３４が、右凸部２２２に当接するように構成されている。また、延出部３２の側端から連続する左つまみ部３５及び右つまみ部３６は、ガード部材３が着座部材２に取り付けられた際に、上面視で内壁左側方部２２４及び内壁右側方部２２５のそれぞれと重畳するように構成されている。
【００２９】
なお、着座部２１の下端からガード部材３の延出部３２の下端までの適切な長さは、便座Ｘの厚みや洋式便器及び便座Ｘ間の隙間の大きさによって異なるため特に限定されないが、一般的な洋式トイレの場合、例えば４０ｍｍ以上５０ｍｍ以下であるとよく、４３ｍｍ以上４７ｍｍ以下であると好ましく、４５ｍｍであるとより好ましい。
【００３０】
（当接部）
ガード部材３は、着座部材２の左凸部２２１及び右凸部２２２のそれぞれと当接する左右一対の当接部（左当接部３３及び右当接部３４）を有しており、左当接部３３及び右当接部３４間の幅は、着座部材２の左凸部２２１及び右凸部２２２間の幅よりもわずかに大きく構成されている。左当接部３３及び右当接部３４間の幅は、上下にわたり同じであるとよい。
【００３１】
ガード部材３は、弾性を有する板状体であるので、左当接部３３及び右当接部３４間の幅を小さく変形させつつ、着座部材２の左凸部２２１及び右凸部２２２間に左当接部３３及び右当接部３４が位置するように、内壁２２の下方から上方へ向けて挿入されることによって着座部材２に取り付けられる。図４に示すように、補助便座１は、着座部材２の左凸部２２１とガード部材３の左当接部３３とを当接させ、着座部材２の右凸部２２２とガード部材３の右当接部３４とを当接させることにより、ガード部材３の元形状への復元に係る付勢力（左当接部３３及び右当接部３４間の幅を広げる方向の力）を利用して着座部材２にガード部材３を保持する。言い換えれば、着座部材２の一対の凸部（左凸部２２１及び右凸部２２２）がガード部材３の一対の当接部（左当接部３３及び右当接部３４）を左右から押圧することによって、着座部材２にガード部材３が取り付けられる。補助便座１は、着座部材２の一対の凸部でガード部材３の一対の当接部を左右から押圧することによって着座部材２にガード部材３を取り付けるので、取付用の工具を必要とせず、簡単にガード部材３を着脱することができる。
【００３２】
（つまみ部）
ガード部材３の左右には、一対のつまみ部（左つまみ部３５及び右つまみ部３６）が設けられている。ガード部材３は、左つまみ部３５及び右つまみ部３６を近づけるように変形すると、左当接部３３及び右当接部３４間の幅が小さくなるように変形する。つまり、補助便座１は、ガード部材３の一対のつまみ部を操作することによって左当接部３３及び右当接部３４間の幅を小さく変形させることができるので、簡単にガード部材３を着脱することができる。
【００３３】
図３に示すように、左つまみ部３５は、上端側かつ外側に上方へ向けて立設される外ガイド部３５１と、外ガイド部３５１と間隔を空けて上端かつ内側に上方へ向けて立設される内ガイド部３５２と、外ガイド部３５１及び内ガイド部３５２間に形成されるつまみ当接部３５３とを有している。外ガイド部３５１及び内ガイド部３５２間の間隔は、内壁左側方部２２４の厚みよりも大きく、着座部材２にガード部材３が取り付けられる際に、内壁左側方部２２４の下端が外ガイド部３５１及び内ガイド部３５２間に進入可能となっている。また、右つまみ部３６は、左つまみ部３５と左右対称に形成されており、図３には示されていないが、上端側かつ外側に上方へ向けて立設される外ガイド部３６１と、外ガイド部３６１と間隔を空けて上端かつ内側に上方へ向けて立設される内ガイド部３６２と、外ガイド部３６１及び内ガイド部３６２間に形成されるつまみ当接部３６３とを有している。外ガイド部３６１及び内ガイド部３６２間の間隔は、内壁右側方部２２５の厚みよりも大きく、着座部材２にガード部材３が取り付けられる際に、内壁右側方部２２５の下端が外ガイド部３６１及び内ガイド部３６２間に進入可能となっている。
【００３４】
着座部材２にガード部材３が取り付けられると、図４に示すように、着座部材２の内壁左側方部２２４の下端が、ガード部材３の左つまみ部３５の外ガイド部３５１及び内ガイド部３５２間に進入しかつつまみ当接部３５３と当接し、着座部材２の内壁右側方部２２５の下端が、ガード部材３の右つまみ部３６の外ガイド部３６１及び内ガイド部３６２間に進入しかつつまみ当接部３６３と当接する。つまり、左つまみ部３５及び右つまみ部３６は、着座部材２から洋式便器の内側へ延びる延出部３２の延出量を決定するストッパ機能を果たし、かつ延出部３２とともに洋式便器と便座Ｘとの間からの尿の漏れ出しを防止する機能を果たす。
【００３５】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【符号の説明】
【００３６】
１  補助便座
２  着座部材
２１  着座部
２１１  把持部
２２  内壁
２２１  左凸部
２２２  右凸部
２２３  内壁前縁部
２２４  内壁左側方部
２２５  内壁右側方部
３  ガード部材
３１  支持部
３２  延出部
３３  左当接部
３４  右当接部
３５  左つまみ部
３６  右つまみ部
３５１，３６１  外ガイド部
３５２，３６２  内ガイド部
３５３，３６３  つまみ当接部
Ｘ  便座
【図１】
0003219323.tif 000003
【図２】
0003219323.tif 000004
【図３】
0003219323.tif 000005
【図４】
0003219323.tif 000006